(57)【特許請求の範囲】
【請求項１】
ポインティングデバイスを使用して、音楽記号記憶手段から音楽記号および音符のフォントを読み出すとともに、前記ポインティングデバイスを使用して指示された表示画面上の位置に対応する画像メモリ上に前記フォントのイメージデータを展開する楽譜作成装置において、
前記イメージデータの展開に際して編集を加える自動編集手段と、
前記自動編集手段による編集機能を有効または無効を指示する機能指示手段と、
前記機能指示手段による指示内容を反転させる機能反転手段とを具備し、
前記機能反転手段が、キーボードに配置された複数の操作キーのうち予定の一つまたは予定の組み合わせをなす複数のキーが押し下げられたことを検出する指定キー検出手段の検出に応答して前記指示内容を反転させるように構成されていることを特徴とする楽譜作成装置。
【請求項２】
ポインティングデバイスを使用して、音楽記号記憶手段から音楽記号および音符のフォントを読み出すとともに、前記ポインティングデバイスを使用して指示された表示画面上の位置に対応する画像メモリ上に前記フォントのイメージデータを展開する楽譜作成装置において、
前記イメージデータの展開に際して、所定の編集を加える編集機能が自動的に実行されるように設定されている自動編集手段と、
前記自動編集手段に設定されている編集機能を無効にする無効化手段とを具備し、
前記無効化手段が、キーボードに配置された複数の操作キーのうち予定の一つが押し下げられたことを検出する指定キー検出手段の検出に応答して前記編集手段に設定されている編集機能を無効にするように構成されていることを特徴とする楽譜作成装置。
【請求項３】
前記音楽記号記憶手段に対するアクセス手段として、複数のタグシートからなるパレット上に音楽記号および音符を表示したスイッチ画面を具備したことを特徴とする請求項１または２記載の楽譜作成装置。
【請求項４】
前記音楽記号記憶手段に対するアクセス手段として、複数のタグシートからなるパレット上に音楽記号および音符を表示したスイッチ画面を具備し、
前記機能指示手段が、前記スイッチ画面に含まれるトグルスイッチ手段であることを特徴とする請求項１記載の楽譜作成装置。
【請求項５】
前記機能指示手段が、複数の編集機能のうち任意に選択したものを有効または無効にできるように構成されている請求項１記載の楽譜作成装置。
【請求項６】
前記無効化手段が、複数の編集機能のうち任意に選択したものを無効にすることができるように構成されている請求項２記載の楽譜作成装置。
【請求項７】
ポインティングデバイスからの指示に応答して音楽記号記憶手段から音楽記号および音符のフォントを読み出すステップと、前記ポインティングデバイスの指示に応答して表示画面上の位置に対応する画像メモリ上に前記フォントのイメージデータを展開するステップに加え、
前記イメージデータの展開に際して自動編集を加える第１ステップと、
前記自動編集機能の有効または無効を指示する第２ステップと、
前記有効の指示を無効に、無効の指示を有効に反転させる第３ステップと、
キーボードに配置された複数の操作キーのうち予定の一つが押し下げられたときに前記第３ステップを実行する第４ステップとをコンピュータに実行させるための楽譜作成用のコンピュータプログラム。
【請求項８】
ポインティングデバイスからの指示に応答して音楽記号記憶手段から音楽記号および音符のフォントを読み出すステップと、前記ポインティングデバイスの指示に応答して表示画面上の位置に対応する画像メモリ上に前記フォントのイメージデータを展開するステップに加え、
前記イメージデータの展開に際して自動編集を加える第１ステップと、
前記自動編集を無効化する第２ステップと、
キーボードに配置された複数の操作キーのうち予定の一つが押し下げられたときに前記第２ステップを実行する第３ステップとをコンピュータに実行させるための楽譜作成用のコンピュータプログラム。
【発明の詳細な説明】
【技術分野】
【０００１】
本発明は、楽譜作成装置および楽譜作成プログラムに関し、特に、電子楽譜上に音符を記載する際の編集操作の自由度を高めるのに好適な楽譜作成装置および楽譜作成プログラムに関する。
【背景技術】
【０００２】
パーソナルコンピュータ上で楽譜作成のプログラム（楽譜作成ソフト）を実行して楽譜を作成することが行われている。つまり、パーソナルコンピュータを楽譜作成装置として機能させることが知られている。例えば、各種音楽記号と五線譜とを記憶させておき、これら音楽記号と五線譜とを画面上に表示させて楽譜を作成する。特開平９−１１４４５３号公報には、パレット状に画面表示した各種音楽記号やフォント等をマウス等で拾って五線譜上に貼り付け、電子楽譜を作成することができる楽譜作成装置が開示されている。
【０００３】
上述のように音楽記号を五線譜上に貼り付ける手法だけでなく、紙に記載された楽譜をスキャナを使ってパーソナルコンピュータに取り込み、これを編集して電子楽譜を作成することができる楽譜作成装置も知られている。
【０００４】
例えば、特開平７−１２１６６１号公報には、画像入力手段が読み取った第１楽譜画像データに基づいて楽譜情報を認識して第２楽譜画像データを構成し、第１楽譜画像データおよび第２楽譜画像データを表示手段に並べて表示する装置が提案されている。
【特許文献１】特開平９−１１４４５３号公報
【特許文献２】特開平７−１２１６６１号公報
【発明の開示】
【発明が解決しようとする課題】
【０００５】
楽譜作成ソフトには、電子楽譜を楽典／浄書ルールに基づいて自動編集する機能を含むものがある。例えば、画面表示された五線譜上に音符を貼り付ける際の音符の間隔（スペーシング）や符尾の向き等を、楽典／浄書ルールに基づいて自動的に決定する機能である。この編集機能によれば、記譜についての知識が乏しい場合でも、簡単に、しかも楽典／浄書ルールに従ったきれいな楽譜を作成することができる。
【０００６】
しかし、自動編集された楽譜が作成者の意図したものと異なることがある。この場合は自動編集によって変更された楽譜を更に修正する必要が生じるので二度手間になってしまう。そこで、この二度手間を回避できることが望まれる。
【０００７】
従来の自動編集の例を説明する。例えば、図６（ａ）のような調号が付されていない電子楽譜が編集対象として入力されるとする。そして、この電子楽譜の調号を変更（ここでは貼り付け）した場合、メロディの調和を保つために、変更された調号に応じて楽譜の音高を自動変更する処理が行われる（図６（ｂ））。
【０００８】
しかし、このような自動変換が好ましくない場合がある。スキャナで譜面を取り込む場合、調号をスキャンミスすることがあったとする。その場合、音符の位置は所望通り読み込めているので、調号のみの変更をしたいが、調号を変更すると、音高が変換されてしまう。
【０００９】
このような従来の自動編集機能を無効にする手段として、楽譜作成プログラムのメニューなどを使ってオプション設定コマンドを操作することが考えられる。しかし、自動編集機能の無効と有効との切り替えを頻繁に行いたい場合や、一時的に無効にしたい場合は操作が煩雑であるという問題点がある。
【００１０】
本発明は、この要望に鑑み、予め設定されている電子楽譜の自動編集機能を任意に解除できるようにして、編集操作の自由度を上げることができる楽譜作成装置および楽譜作成プログラムを提供することを目的とする。
【課題を解決するための手段】
【００１１】
上記の課題を解決し、目的を達成するための本発明は、ポインティングデバイスからの指示に応答して音楽記号記憶手段から音楽記号および音符のフォントを読み出すとともに、前記ポインティングデバイスの指示に応答して表示画面上の位置に対応する画像メモリ上に前記フォントのイメージデータを展開する楽譜作成用の装置またはプログラムにおいて、前記イメージデータの展開に際して自動編集機能の有効または無効を指示することができるとともに、前記有効の指示を無効に、無効の指示を有効に反転させることができるように構成し、キーボード上の複数の操作キーのうち予定の一つまたは予定の組み合わせをなす複数のキーが押し下げられたときに前記無効または有効の指示をそれぞれ反転させるようにした点に第１の特徴がある。
【００１２】
また、本発明は、ポインティングデバイスからの指示に応答して音楽記号記憶手段から音楽記号および音符のフォントを読み出すとともに、前記ポインティングデバイスの指示に応答して表示画面上の位置に対応する画像メモリ上に前記フォントのイメージデータを展開する楽譜作成用の装置またはプログラムにおいて、前記イメージデータの展開に際して自動編集機能を無効化することができるように構成し、キーボード上の複数の操作キーのうち予定の一つまたは複数のキーが押し下げられたときに前記無効化を実行することができるように構成した点に第２の特徴がある。
【００１３】
また、本発明は、楽譜作成装置において、前記音楽記号記憶手段に対するアクセス手段として、複数のタグシートからなるパレット上に音楽記号および音符を表示したスイッチ画面を具備した点に第３の特徴がある。
【００１４】
また、本発明は、楽譜作成装置において、前記音楽記号記憶手段に対するアクセス手段として、複数のタグシートからなるパレット上に音楽記号および音符を表示したスイッチ画面を具備し、前記機能指示手段が、前記スイッチ画面に含まれるトグルスイッチ手段である点に第４の特徴がある。
【００１５】
また、本発明は、楽譜作成装置において、前記機能指示手段が、複数の編集機能のうち任意に選択したものを有効または無効にできるように構成されている点に第５の特徴がある。
【発明の効果】
【００１６】
上記第１または第２の特徴を有する本発明によれば、予め設定された自動編集機能を基本的に使用しつつ、任意かつ一時的にこの自動編集機能を無効にすることができる。したがって、固定された自動編集機能で一様に音楽記号や音符などが編集されるのを避けて、作成者によるポインティングデバイスの自由な操作により任意の形態で楽譜を描画することができる。
【００１７】
特に第１の特徴によれば、予め設定された自動編集機能を基本的に不使用としつつ、任意かつ一時的にこの自動編集機能を有効にして使用することができる。
【００１８】
なお、自動編集機能の有効・無効の切り替えをキーボード上の所定のキーの操作によって行うことができるので、操作が極めて簡単である。
【００１９】
また、第３の特徴によれば、パレットの形態で複数枚のタグシートを有するスイッチ画面から作成する楽譜の構成に必要な音楽記号や音符を簡単に抽出して所定の描画範囲に描画できる。
【００２０】
また、第４の特徴によれば、編集機能の選択をスイッチ画面から実施することができるので、ポインティングデバイスを使用して能率的な楽譜作成が可能である。
【００２１】
さらに第５の特徴によれば、多数の編集機能のうち任意のものをポインティングデバイスを使用して能率的に指定して有効または無効の指示をすることができる。
【発明を実施するための最良の形態】
【００２２】
以下、図面を参照して本発明を詳細に説明する。図２は本発明の一実施形態に係る楽譜作成装置のハードウェア構成を示すブロック図である。同図において、楽譜作成装置のハードウェアはパーソナルコンピュータ等の汎用情報処理装置によって実現できる。楽譜作成装置１は、ＣＰＵ２、ＲＯＭ３、ＲＡＭ４、表示装置５、キーボード６、マウス７、音源部８、および通信インタフェース９を備える。表示装置５、キーボード６、およびマウス７はそれぞれＶＲＡＭ１０、キースキャン回路１１、およびマウススキャン回路１２を介してバス１３に接続される。なお、マウス７は、タブレット、タッチスクリーン、およびタッチパネル等、周知のポインティング・デバイスであってもよい。
【００２３】
マウス７のＸ・Ｙ方向の移動量はＲＡＭ４上のカーソルポイントレジスタのカーソル座標データに加算され、この座標データに基づいて表示装置５上でのカーソルの位置が決定される。キーボード６のキーのオン・オフはキースキャン回路１２で検出され、検出結果はＲＡＭ４に書き込まれる。キーボード６のキーのオン・オフが直前の状態と比較されてキーオンイベントやキーオフイベントが認識される。
【００２４】
また、楽譜作成装置１には、ハードディスク、ＣＤ−ＲＯＭ、ＭＯディスク、ＤＶＤ，およびメモリカード等の外部記憶装置を必要に応じて設けることができるし、プリンタドライバを介してプリンタに接続することもできる。
【００２５】
ＣＰＵ２は、所定の制御プログラムに従って各種処理を実行し、装置全体を制御する。ＲＯＭ３は、ＣＰＵ２に楽譜作成処理を実行させるための楽譜表示プログラムや五線譜、および音符等の音楽記号を含む各種データ（楽譜作成ソフト）を記憶する。ＲＡＭ４は、ＣＰＵ２での処理に使用される情報を一時記憶する。
【００２６】
表示装置５は、ＬＣＤやＣＲＴ等の表示器あるいはＬＥＤ等の表示灯を含む。表示器には、アイコン、楽譜、複数のタグシートつまり付箋を付けた複数のシートからなる音楽記号のパレット、鍵盤図形等を表示する。
【００２７】
音源部８は音源としてのソフトウェアや効果付与のためのＤＳＰを含む。音源部８には、Ｄ／Ａ変換器、アンプ、スピーカを含むサウンドシステム１４が接続される。
【００２８】
通信インタフェース９は、ＬＡＮやインタネット、電話回線などの通信ネットワーク、あるいはＭＩＤＩ用ネットワークに接続されるインタフェースであり、サーバ等など、他の情報処理装置やＭＩＤＩ機器などの外部機器１５との各種情報の授受に使用される。楽譜作成装置１は、この通信インタフェースを介して取り込んだ演奏情報に基づく楽譜作成も可能である。
【００２９】
音源部８は、ＲＡＭ４上に設けられる演奏情報記憶手段から、ノートナンバ、音色、ステップ、ゲートタイム、ベロシティ等演奏情報を読み込み、それに基づいて楽音波形の加工をしてサウンドシステム１４に入力する。
【００３０】
図１は、上記楽譜作成装置の要部機能を示すブロック図である。図１において、音楽記号記憶部１６には、音楽記号等（音楽記号および音符）のフォントが記憶される。音楽記号等は使い勝手等を考慮し、タグ付きのパレットの形態で表示装置５上に表示可能にするため、グループ別または階層別に記憶しておくとよい。機能ボタン記憶部１７は、編集機能選択用のボタンの状態つまり編集機能の有効・無効の区別をこのボタンの表示位置情報とともに記憶する。編集機能選択用のボタンは前記パレット上で音楽記号等に近接して表示できるように設定されるのがよい。機能ボタン記憶部１７に記憶されている編集機能の有効・無効の設定は、マウス７によるパレット操作で反転する。
【００３１】
音楽記号展開部１８は、音楽記号等のフォントをビットマップデータに展開する手段とＶＲＡＭ１０上の画像メモリとを含む。機能指示部１９は機能ボタン記憶部１７から読み出された有効となっている機能に従って記号展開部１８に自動編集指示を出力する。音楽記号展開部１８は楽典や浄書ルールに従って音楽記号等を編集するための編集プログラムを有している。音楽記号等のフォントデータをイメージデータに変換して画像メモリに展開する際には、前記編集機能の有効・無効の区別を編集プログラムに反映して自動編集が行われる。
【００３２】
機能反転部２０は、マウス７の操作に従って機能ボタン記憶部１７から読み出された編集機能の有効・無効の設定状態を反転する。五線譜記憶部２１は、五線譜を描画範囲に描画するためのビットマップデータを有する画像メモリである。
【００３３】
この構成において、マウススキャン回路１２は、マウス７のクリックによってコマンドを認識し、かつ、マウス７の操作によるカーソルの移動量を認識してカーソルの位置を検出する。キースキャン回路１１は、キーボード６を構成する複数のキーをスキャンし、各キーの状態（オンかオフか）を読み取る。
【００３４】
音楽記号記憶部１６のフォントはカーソルの位置とマウス７からのコマンドとによって選択され、記号展開部１８に入力される。機能ボタン記憶部１７に記憶された機能は、カーソルの位置とマウス７からのコマンドとによって有効・無効が設定され、この設定内容は機能指示部１９から記号展開部１８に入力される。これにより、有効となっている編集機能によってフォントデータは編集され、記号展開部１８の画像メモリにイメージデータが展開される。
【００３５】
指定キー検出部２２は、キースキャン回路１１によって、押し下げられているキーのうちに指定のキー（例えば、シフトキー）が含まれているかを判断する。指定キー検出部２２で指定のキーが含まれていたことを検出したならば、機能反転部２３は機能ボタン記憶部１７から機能指示部１９に読み出されて音楽記号展開部１８に入力される編集機能の有効・無効を反転させる。
【００３６】
無効が選択された編集機能は停止され、有効な編集機能のみによって自動編集が行われる。こうして、有効な編集機能によって編集されて音楽記号展開部１８に展開された音楽記号等のイメージデータは五線譜記憶部２１に格納されている五線譜のイメージデータと合成されて表示装置５に入力される。なお、表示画面上の位置はその左上隅を（０，０）とするＸ・Ｙ座標で管理される。
【００３７】
具体例を説明する。図３は表示装置５の表示例を示す図である。表示装置５には、楽譜作成モード画面が表示されている。画面２４の上部にはメニューバー２５およびツールバー２６が設けられる。メニューバー２５およびツールバー２６のボタンは本発明の要部ではないので一部のみ図示する。画面２４の右側には楽譜の描画範囲２７を設ける。描画画面には予め多段（この例では５段）に五線譜を配する。ここでは、五線譜に音部記号を表示した例を示したが、この音部記号は作成者が任意に変更できるし、五線譜のみの初期画面として任意に音部記号を設定することができるものにしてもよい。
【００３８】
画面２４の左側には、音楽記号等や編集コマンドを含むパレット２８が表示される。パレット２８は複数のタグシート２８−１、２８−２、…、２８−９からなる。楽譜の作成・編集上使用頻度の高いものを最上部２枚のタグシート２８−１，２８−２に収容して記号の選択を容易にしている。画面２４には、マウス７で移動可能なカーソル２９が表示される。
【００３９】
楽譜の作成例を図３および図４を参照して説明する。まず、図３の楽譜作成モード画面を表示装置５に表示させる。この画面は、図示しないモード選択画面の「楽譜作成モード」をクリックする等して指示を行い、この指示に応答して前記記憶部１６，１８，２１から読み出したデータに従って表示される。
【００４０】
続いて、描画範囲２７の五線譜上に音楽記号等を記入する。図４（ａ）に示すように、描画範囲２７には、音部記号３１がすでに初期表示として描画されている五線譜３０が表示されているので、拍子を示す記号を描画する。カーソル２９を、マウス７を使ってタグシート２８−８に合わせ、クリックする。そして、タグシート２８−８に含まれている拍子記号（図示せず）のうちの一つにカーソル２９を合わせてマウス７をクリックする。この例では４／４拍子を選択する。それから、カーソル２９を描画範囲２７の五線譜３０に合わせてマウス７をクリックする。この操作によって、図４（ｂ）に示すように、４／４拍子の記号３２が五線譜３０上に描画される。なお、カーソル２９は五線譜３０上の、拍子記号が置かれるべき位置におおよそ合わせてクリック操作をすれば正しい位置に描画されるように編集プログラムを作成する。
【００４１】
次に、音符を描画する。タグシート２８−１上の４分音符のボタン３３にカーソル２９を合わせてマウス７をクリックし、続いてカーソル２９を五線譜３０上の所望の位置に合わせてマウス７をクリックすれば、４分音符３４が五線譜３０上に描画される（図４（ｃ））。さらにカーソル２９を五線譜３０上の別の位置に合わせてマウス７をクリックすれば、もう一つの４分音符３５が五線譜３０上に描画される（図４（ｄ））。
【００４２】
同様にして、８分音符を描画する場合を説明する。８分音符等、符鈎（はた）付きの音符が連続する場合、符鈎を表示する代わりに音符間を連桁で連結する編集機能を設定する。タグシート２８−１のトグルボタン３６はクリックする毎に自動連桁機能を有効から無効、または無効から有効に切り替える機能を有する。
【００４３】
自動連桁機能を無効にした状態で、タグシート２８−１の８分音符のボタン３７を使って五線譜３０上に８分音符３８，３９を描画すると、図４（ｅ）のように、それぞれが別個に符鈎を有する８分音符３８，３９が描画される。
【００４４】
一方、自動連桁機能を有効にしておくと、自動的に８分音符３８，３９が連結されて音符４０に編集される（図４（ｆ））。
【００４５】
このように、自動編集機能を任意に選択するためには、タグシート２８をマウス７で操作する必要がある。この自動編集機能の設定・解除（有効・無効）の操作は、簡単にすることができる。例えば、キーボード６の任意のキー（シフトキーが好適である）を機能反転キーとして予め登録しておく。この機能反転キーが押し下げられている間は、図１に示した機能反転部２３が機能し、自動編集機能のうち、予め設定した機能（ここでは「自動連桁機能」）の設定を反転させる。つまり、自動連桁機能が有効に設定されている場合は、シフトキーを押し下げることによってその設定を無効にする。一方、自動連桁機能が無効に設定されている場合は、シフトキーを押し下げることによってその設定を有効にする。
【００４６】
図５は、自動連桁機能の処理の一例を示すフローチャートである。ステップＳ１では、連桁フラグと８分音符カウンタを初期化する。ステップＳ２は、音符が入力されたか否かを判別する。音符入力とはタグシート２８上の音符指示用のボタン（ボタン３３，３７等）をクリックするのに続いて五線譜３０上にカーソル２９が合わされてクリック操作が行われた状態をいう。
【００４７】
音符入力があったならば、ステップＳ３に進んで、入力音符が８分音符か否かが判断される。音符入力されたときに、入力音符の種類を示すデータを書き込むレジスタを設けておき、このレジスタを見て８分音符が入力されたか否かを判別することができる。入力音符が８分音符であった場合、ステップＳ４に進んで８分音符カウンタが「１」か否かを判別する。
【００４８】
８分音符が連続して入力され、ステップＳ４が肯定になると、ステップＳ５に進んでシフトキーがオンか否かを判別する。シフトキーがオンならばステップＳ６に進んで連桁フラグを反転する。連桁フラグは、図示しないサブルーチンの処理により、前記トグルボタン３６のオン・オフに従ってオン・オフに設定されるフラグである。
【００４９】
ステップＳ７では、反転された連桁フラグがオンかオフかを判別する。連桁フラグがオンならば、ステップＳ８に進んで二つの８分音符を連桁で連結する処理を行う。つまり符鈎を削除して連桁を付加する画像データ処理を行う。
【００５０】
８分音符カウンタが「１」でない場合、ステップＳ４からステップＳ９に進んで８分音符カウンタをインクリメント（＋１）して、ステップＳ２に進む。入力音符が８分音符でなかったならば、ステップＳ３からステップＳ１０に進んで８分音符カウンタをクリア（ゼロ）にしてステップＳ１１に進む。連続して８分音符が入力されない場合に、ステップＳ４に進まないようにするためである。
シフトキーがオンになっていないときは、ステップＳ５からステップＳ７にジャンプする。また、連桁フラグがオフのときは、ステップＳ７からステップＳ１１にジャンプする。ステップＳ１１では、入力された音符を五線譜３０上に表示する。なお、操作が音符入力でないときは、ステップＳ２から、この処理とは別の図示しない処理に移行する。
【００５１】
このように、キーボード上の予め設定したキーに、予め設定した編集機能を有効か無効かに切り替える指示をする機能を与えた。したがって、必ずしも楽典や浄書ルールに従った、所定の自動編集によらず、作成者の好みに応じた楽譜を描画するという自由度が高められる。
【００５２】
本実施例では、自動連桁機能の設定と解除とを行う機能をシフトキーにもたせた例を挙げたが、自動連桁機能に限らず、音部記号の新規入力や変更に応じて、音符の位置を調整する機能、つまり、すでに描画されている音符の位置を音部記号に整合するように五線譜上で上下にシフトさせることができる機能を有効または無効にする場合にも適用できる。
【００５３】
同様に、調号の入力時に音符の臨時記号の付加・削除・変更を行う機能を有効または無効にする場合や、音符や音楽記号の間隔調節の機能を有効または無効にする場合にも適用できる。
【００５４】
なお、本発明は、連桁機能等、単一の編集機能を一時的に有効および無効の一方から他方に切り替えるのに限らず、複数種類の編集機能を、予め設定したキーで一括して一時的に有効および無効の一方から他方に切り替えるようにすることもできる。
【００５５】
また、本実施形態では、予め設定した編集機能（連桁機能）の有効または無効をトグルボタンで任意に選んで、その選ばれている状態を反転させる例を挙げた。しかし、本発明はこのような設定に限らない。システムの初期構成として所定の編集機能が自動的に行われるように設定されている場合において、シフトキー等、予定のキーを押し下げることによってこの自動編集機能を無効にするものであってもよい。
【００５６】
なお、本実施形態では、説明の便宜上、音符の描画手順を一つの表示画面の例を挙げて本発明を説明したが、表示画面は変形可能であるし、音符や音楽記号をパレット２８から五線譜３０上にコピーする手順は、アイコンのドラッグ・アンド・ドロップ等、周知の手法を採用することができる。要は、キーボードとマウス等のポインティングデバイスを使って画面上に楽譜を描画する既存の楽譜作成方法を含む楽譜作成方法において、自動編集機能を予定のキー操作により一時的に無効にする方法やそのための手段として構成されていればよい。
【００５７】
また、自動編集機能を一時的に無効にするためのキーはシフトキー等一つに限らず、予定の組み合わせを形成する複数のキーであってもよい。
【図面の簡単な説明】
【００５８】
【図１】本発明の一実施形態に係る楽譜作成装置の要部機能を示すブロック図である。
【図２】本発明の一実施形態に係る楽譜作成装置のハード構成部分であるパーソナルコンピュータのブロック図である。
【図３】楽譜作成装置の表示画面の一例を示す図である。
【図４】編集機能としての連桁付加処理を含む楽譜描画例を示す図である。
【図５】自動連桁機能の要部処理を示すフローチャートである。
【図６】従来技術に係る楽譜描画例を示す図である。
【符号の説明】
【００５９】
１…楽譜作成装置、  ５…表示装置、  ６…キーボード、  ７…マウス、  １１…キースキャン回路、  １２…マウススキャン回路、  １６…音楽記号記憶部、  １７…機能ボタン記憶部、  ２０…機能反転部、  ２７…描画範囲、  ２８…パレット、  ２９…カーソル
【図１】
0004662259.tif 000002
【図２】
0004662259.tif 000003
【図３】
0004662259.tif 000004
【図４】
0004662259.tif 000005
【図５】
0004662259.tif 000006
【図６】
0004662259.tif 000007